(57)【特許請求の範囲】
【請求項１】
カートリッジケース内に、磁気テープを巻装してなる単一のリールを回転可能に収容した磁気テープカートリッジにおいて、
前記テープの自由端部にリーダーピンが固着して設けられ、
該リーダーピンが、前記テープが固着される本体部と、この本体部の両端部からそれぞれ軸方向に突出して形成された、前記カートリッジケースの係止部にその周面が係止される被係止部とからなり、該被係止部が前記本体部に対して前記リーダーピンの軸回りに回動可能とされたことを特徴とする磁気テープカートリッジ。
【請求項２】
前記被係止部が、
前記本体部から前記軸方向に突出した、該本体部と同軸の支軸に、軸支された略円柱体であることを特徴とする請求項１記載の磁気テープカートリッジ。
【請求項３】
前記支軸が、その先端部に、前記軸を中心とする半径方向に弾性圧縮可能に形成された大径部を有し、前記被係止部が、該大径部の外形形状に沿った内面形状の嵌着穴を有し、前記支軸が前記嵌着穴に圧入されて、前記被係止部が前記支軸に軸支されているものであることを特徴とする請求項２記載の磁気テープカートリッジ。
【発明の詳細な説明】
【０００１】
【発明の属する技術分野】
本発明は、磁気テープカートリッジに関し、詳細には単一のリールに巻装された磁気テープの自由端部に固着されるリーダーピンの改良に関するものである。
【０００２】
【従来の技術】
従来、コンピュータ等の外部記憶装置に用いられる記録媒体として使用されている磁気テープカートリッジには、単一のリールに磁気テープを巻装したものをカートリッジケース内に回転自在に収容したタイプのものが知られている。
【０００３】
このような単一のリールのタイプは、外部記憶装置にセットされると、リールに巻装された磁気テープが、外部記憶装置側のドライブ機構によってケースから引き出されて、当該外部記憶装置の磁気記録部で情報の記録が行われ、または既に記録された情報が再生部で読み出され、これらの目的を終了した後はテープはリールに巻き戻されてケース内に再び収容されるように構成されている。そして、磁気テープの引出し側の先端部である自由端部には、記憶装置のドライブ機構がテープをカートリッジケースからスムーズに引き出し、記録部や再生部等を含むテープ走行経路にテープを導入するためにリーダー片が固着されている。記憶装置のドライブ機構はこのリーダー片を把持してテープを記憶装置内に引き回して所定のテープ走行路にセットする。
【０００４】
またこのリーダー片はドライブ機構が把持しやすいように、また不用意に磁気テープがケースから引き出されないように、ケース内の一定の位置に係止される必要があり、リーダー片の一部には、ケース側に形成された係止部に係止される被係止部が形成されている。
【０００５】
このようなリーダー片は従来はブロック形状のものが知られており、カートリッジケースの、テープが引き出される開口を塞ぐ蓋としての機能を兼ねるものもある。
【０００６】
また近年、新しいタイプの磁気テープカートリッジが提案されている。この新しいタイプのものは、基本的な構成は従来のものと同様であるが、細部において種々の工夫がなされ、例えば従来のリーダー片に相当する円柱状のリーダーピンは外部記憶装置側における占有スペースを低減するようにも構成されている。
【０００７】
【発明が解決しようとする課題】
ところで上述した新しいタイプの磁気テープカートリッジに使用されているリーダーピンは、テープが固着される本体部と、この本体部の両端部からそれぞれ軸方向に突出して形成された、カートリッジケースの係止部にその周面が係止される被係止部とからなり、図３に示すように、被係止部21Ｄが、ケース２（および３）に設けられた突起28Ａ，28Ｂを乗り越えて係止部28に収まるように構成されている。
【０００８】
ここで、被係止部21Ｄが突起28Ａ，28Ｂを乗り越える際、被係止部21Ｄが両突起28Ａおよび28Ｂに同時に、かつ均等に当接し始めれば問題はないが、実用上は、最初に一方の突起28Ａまたは28Ｂに当接し、その後に他方の突起28Ｂまたは28Ａに当接する確率が圧倒的に高い。このように、先に一方の突起28Ａまたは28Ｂ（図３に示す例では、突起28Ｂ）に当接するとその突起と被係止部21Ｄの周面21Ｅとの間で生じる摩擦力により、被係止部21Ｄに矢印方向の回転モーメントが生じ、この回転モーメントがリーダーピン21の全体に対して捻りモーメントとして作用する。このためリーダーピン21の姿勢が不安定となり、被係止部21Ｄへの係止操作を円滑に行うことができないという問題がある。
【０００９】
本発明は上記事情に鑑みなされたものであって、リーダーピンをカートリッジケースに係止させる係止操作の際、リーダーピンの姿勢を安定させて係止操作を円滑に行うことができる磁気テープカートリッジを提供することを目的とするものである。
【００１０】
【課題を解決するための手段】
本発明の磁気テープカートリッジは、カートリッジケースの係止部に係止されるリーダーピンの被係止部を、リーダーピンの本体部に対して回転可能としたものである。
【００１１】
すなわち、本発明の磁気テープカートリッジは、カートリッジケース内に、磁気テープを巻装してなる単一のリールを回転可能に収容した磁気テープカートリッジにおいて、
前記テープの自由端部にリーダーピンが固着して設けられ、
該リーダーピンが、前記テープが固着される本体部と、この本体部の両端部からそれぞれ軸方向に突出して形成された、前記カートリッジケースの係止部にその周面が係止される被係止部とからなり、該被係止部が前記本体部に対して前記リーダーピンの軸回りに回動可能とされたことを特徴とするものである。
【００１２】
なお、カートリッジケースの係止部は、本発明の磁気テープカートリッジの被係止部を係止する操作の際に、この被係止部に対して回転モーメントを与えるように作用するものである。
【００１３】
また被係止部としては、例えば、本体部から前記軸方向に突出した、本体部と同軸の支軸に、軸支された略円柱体を適用することができ、さらに、支軸が、その先端部に、前記軸を中心とする半径方向に弾性圧縮可能に形成された大径部を有し、前記被係止部が、該大径部の外形形状に沿った内面形状の嵌着穴を有し、前記支軸が前記嵌着穴に圧入されて、前記被係止部が前記支軸に軸支されているものを適用することができる。
【００１４】
【発明の効果】
本発明の磁気テープカートリッジによれば、リーダーピンを、テープが固着される本体部と、この本体部の両端部からそれぞれ軸方向に突出して形成された、カートリッジケースの係止部にその周面が係止される被係止部とからなるものとして構成し、被係止部を本体部に対してリーダーピンの軸回りに回動可能とした構成により、リーダーピンをカートリッジケースに係止させる係止操作の際に、リーダーピンの周面とカートリッジケースの係止部との間で生じた摩擦力に起因してリーダーピンの被係止部に作用する回転モーメントを、被係止部が本体部に対して回動して吸収するため、この回転モーメントがリーダーピンの姿勢に影響を与えることがなく、したがって、リーダーピンの姿勢を安定させて係止操作を円滑に行うことができる。
【００１５】
【発明の実施の形態】
以下、本発明の磁気テープカートリッジの具体的な実施の形態について、図面を用いて説明する。
【００１６】
図２は本発明の磁気テープカートリッジの一実施形態の構成を示す分解斜視図、図１は図２に示した磁気テープカートリッジに使用されるリーダーピンを示す図、図３はカートリッジケースの係止部にリーダーピンが係止される様子を示す図、図４は図２に示したリーダーピンの詳細を示す側面図である。
【００１７】
図２に示すように、本実施形態の磁気テープカートリッジ１は、下リール５と上リール６とを超音波溶着により結合した単一のリール４に、磁気テープ20を巻装し、上ケース２と下ケース３とがビス等により締結されるカートリッジケース７内に、リール４を回動自在に収容して構成される。
【００１８】
下リール５は外周に磁気テープ20が巻回される円筒状のリールハブ23と、リールハブ23の下端外周から径方向に張り出したフランジ部24とを合成樹脂により一体成型したもので、リールハブ23の底部外面に、リール４を回転駆動するマグネット式の回転駆動手段（図示せず）を接合させるためのリールプレート８が取付けられる。またリールハブ23の底部内面には、ブレーキボタン９に形成された制止用ギア９Ａと係合して不使用時の回転を拘束する制止用ギア23Ａが刻設されている。さらに、リールハブ23には、磁気テープカートリッジ１を使用する外部記憶装置等の記録再生装置に設けられたドライブ解除スピンドルが挿通されて、ブレーキボタン９を上方へ移動させるための開口23Ｂが形成されている。
【００１９】
ブレーキボタン９は、リールハブ23と対向する側に上述した制止用ギア９Ａが形成されており、それとは反対側の面に、上ケース２に形成されたブレーキガイド突起（図示せず）が嵌合される嵌合溝９Ｂが形成されている。
【００２０】
そして、ブレーキボタン９はコイルバネ10により、図中下方に付勢された状態でリールハブ23内部に装着されており、ブレーキボタン９の制止用ギア９Ａとリールハブ23の制止用ギア23Ａとが咬み合ってリール４の不使用時における回転が防止されている。
【００２１】
一方、カートリッジ使用時は、記録再生装置のドライブ解除スピンドルがブレーキボタン９を押圧すると、ブレーキボタン９がコイルバネ10の付勢力に抗して図中上方へ移動し、これにより制止用ギア９Ａ，23Ａの係合が解除され、リール４が回転自在とされる。
【００２２】
カートリッジケース７の一側壁には、磁気テープ20を引き出すための開口部26が形成されている。開口部26にはカートリッジケース７の側壁に平行な矢印Ａ方向に移動可能なスライドドア27が取付けられている。スライドドア27は不図示のバネにより、開口部26を閉じる方向（閉位置）に付勢されている。
【００２３】
また、長尺の磁気テープ20の一方の端部はリールハブ23に固着され、このリールハブ23に巻回された外周側の端部である自由端部には、記録再生装置のドライブ機構がテープ20をカートリッジケース７からスムーズに引き出し、記録再生装置の記録部や再生部等を含むテープ走行経路にテープ20を導入するためのリーダーピン21が固着されている。
【００２４】
このリーダーピン21は詳細には図１に示すように、略円柱状に形成され、テープ20の自由端部（始端部）が固着される胴部21Ａおよびこの胴部21Ａの両端から突出した、胴部21Ａよりも径小の係合溝21Ｃからなる本体部と、この本体部の両端部からさらにそれぞれ軸Ｋ方向に突出して形成された、本体部に対して軸Ｋ回りに回転可能とされた被係止部21Ｄとから構成されている。
【００２５】
胴部21Ａには、図１（２）に示すように、断面半円状で軸Ｋ方向に延びる溝が形成されており、この溝の壁面に沿ってテープ20の自由端部が配置され、溝よりも僅かに小さく形成されたクランプ21Ｂが、溝の壁面との間にテープ20を挟むように溝に嵌入されて、テープ20の自由端をリーダーピン21の胴部21Ａに止着している。
【００２６】
また、胴部21Ａと被係止部21Ｄとの間の係合溝21Ｃには、上述した記録再生装置のドライブ機構の構成要素であるフック 100（一点鎖線で示す）が係合されて、このフック 100によりピン21が係引される。
【００２７】
被係止部21Ｄは、例えば図４（１）、（２）または（３）に示すように、本体部の係合溝21Ｃから軸Ｋ方向に突出した、本体部と同軸Ｋの支軸21Ｆ、21Ｈまたは21Ｊに軸支された略円柱状に形成されている。
【００２８】
すなわち、図４（１）に示すものは、支軸21Ｆの先端部に、軸Ｋを中心とする半径方向に弾性圧縮可能の弾性球状体を有し、被係止部21Ｄは、この弾性球状体を含む支軸21Ｆの外形形状に沿った内面形状の嵌着穴21Ｇを有し、支軸21Ｆが嵌着穴21Ｇに圧入されて、被係止部21Ｄが支軸21Ｆに回転可能に軸支されているものである。
【００２９】
図４（２）に示すものは、支軸21Ｈの先端部に、スリットにより軸Ｋを中心とする半径方向に弾性圧縮可能の張出し大径部を有し、被係止部21Ｄは、この張出し大径部を含む支軸21Ｈの外形形状に沿った内面形状の嵌着穴21Ｉを有し、支軸21Ｈが嵌着穴21Ｉに圧入されて、被係止部21Ｄが支軸21Ｈに回転可能に軸支されているものである。
【００３０】
図４（３）に示すものは、被係止部21Ｄの内部にミニチュアベアリング21Ｋが埋設されていて、被係止部21Ｄはこのベアリング21Ｋを介して支軸21Ｊに回転可能に軸支されているものである。
【００３１】
なお、被係止部21Ｄはその周面21Ｅが、カートリッジ１の不使用時にテープ20がリール４に巻き込まれた状態で、ケース７の開口部26の近傍に形成された係止部28に係止される。
【００３２】
ケース７の係止部28は上ケース２および下ケース３の両方に形成されており、図３に示すように、被係止部21Ｄの外周面形状よりも僅かに大きい半径の半円状の壁面28Ｃと、２つの突起28Ａ，28Ｂとにより構成されている。
【００３３】
このように構成された磁気テープカートリッジ１が記録再生装置にセットされると、上述したようにブレーキボタン９とリールハブ23との制止用ギア９Ａ，23Ａの係止が解除されてリール４が回転自在とされるとともに、マグネット式の回転駆動手段がリールプレート８と接合してリール４を回転する。これとともに、スライドドア27が開かれて、ドライブ機構のフック 100が、ケース７内の係止部28に係止されたリーダーピン21の係合溝21Ｃに一点鎖線（図１参照）で示すように掛けられてリーダーピン21を矢印Ｘ方向に係引し、これにより被係止部21Ｄが２つの突起28Ａ，28Ｂを乗り越えて係止部28との係止が解除され、リーダーピン21およびリーダーピン21に固着されたテープ20が、スライドドア27が開放された開口26からケース７の外側に矢印Ｘ方向に引き出され、そのまま記録再生装置のテープ走行路に引き回されて、所定位置にピン21をセットされ、磁気テープ20へのデータの記録または磁気テープ20からのデータの再生が可能となる。
【００３４】
磁気テープ20へのデータの記録または磁気テープ20からのデータの再生が終了すると、上記と逆の手順により、テープ20はリール４に巻き戻される。このときリーダーピン21は、図３に示すように、矢印Ｘ′方向に進められて上記ケース７内の係止部28に戻されるが、被係止部21Ｄが突起28Ａ，28Ｂを乗り越える際、被係止部21Ｄが両突起28Ａおよび28Ｂに同時に、かつ均等に当接し始めることはほとんどなく、まず一方の突起、例えば突起28Ｂに当接し、その後に他方の突起28Ａに当接する。このように、先に一方の突起28Ｂに当接すると、その突起28Ｂと被係止部21Ｄの周面21Ｅとの間で生じる摩擦力により、被係止部21Ｄに矢印方向の回転モーメントが生じる。
【００３５】
従来のリーダーピンはこの回転モーメントがリーダーピン21の全体に対して捻りモーメントとして作用するため、リーダーピン21の姿勢が不安定となり、被係止部21Ｄへの係止操作を円滑に行うことができなかったが、本実施形態の磁気テープカートリッジ１は、リーダーピン21の被係止部21Ｄが本体部に対して回転することにより、被係止部21Ｄに生じた回転モーメントを吸収するため、この回転モーメントがリーダーピン21の姿勢に影響を与えることがなく、したがって、リーダーピン21を確実に係止部28に係止させることができる。
【図面の簡単な説明】
【図１】（１）は図２に示した磁気テープカートリッジのリーダーピンの詳細を示す斜視図、（２）は（１）のＩ−Ｉ線断面を示す断面図
【図２】本発明の磁気テープカートリッジの一実施形態を示す分解斜視図
【図３】カートリッジケースの係止部にリーダーピンが係止される様子を示す図
【図４】リーダーピンの本体部に対して被係止部を回転自在に軸支させる構成の、種々の態様を示す図
【符号の説明】
20    磁気テープ
21Ａ  胴部
21Ｃ  係合溝
21Ｄ  被係止部
21Ｅ  被係止部の周面
21    リーダーピン
100   ドライブ機構のフック
Ｘ    テープの引出し方向
【図１】
0003750775.tif 000002
【図２】
0003750775.tif 000003
【図３】
0003750775.tif 000004
【図４】
0003750775.tif 000005